Podtech/llm-jp-corpus-v4-ja_patent huggingface dataset:
(57)【要約】 【課題】業務用かきあげ式食器洗浄機等において、従来は前洗い場とするシャワーシンクのシンクに食器を無差別に入れ、コンベア等でかきあげる際食器の区別なく洗浄機まで送るシステムだった。そのため、洗い終わった食器を保管するのに食器ごとに分別して籠に収める作業があった。この点の改善を課題とする。【解決方法】  当該かきあげ式食器洗浄機に使用するシンクに食器を入れる際、シンクに食器の種類に応じて入れる場所を決め、コンベアがかきあげる食器の種類を選べるのを特徴としたものである。これにより、洗浄が終わった食器を種類ごとに分別する作業がなくなるので作業時間の短縮になる。【選択図】  図1
0003120424.tif 000002
【実用新案登録請求の範囲】
【請求項１】
業務用かきあげ式食器洗浄機等において、シンク等を前洗い場として使用するが、シンクタンク内に食器を入れる際、食器の種類を区別して入れられるようにし、そのまま食器洗浄機まで送るシステム
【請求項２】
請求項１において、区別された食器を食器洗浄機のコンベアがかきあげるが、任意的に食器の種類を選べてかきあげることができるシステム
【考案の詳細な説明】
【技術分野】
【０００１】
本実用新案は、業務用に使用されるかきあげ式食器洗浄機において、シャワーシンクのシンクタンクから洗浄機まで食器を種類別に送り、かきあげる食器の種類を選べることに関するもの
【背景技術】
【０００２】
業務用かきあげ式食器洗浄機等において、従来は前洗い場とするシャワーシンクのシンクに食器を無差別に入れ、コンベア等でかきあげる際食器の区別なく洗浄機まで送るシステムだった。そのため、洗い終わった食器を保管するのに食器ごとに分別して籠に収める作業があった。
【考案の開示】
【考案が解決しようとする課題】
【０００３】
解決しようとする問題点は、洗い終わった食器を保管するのにかかる時間を短縮する点である。
【課題を解決するための手段】
【０００４】
本考案は、かきあげ式食器洗浄機に使用するシンクに食器を入れる際、食器の種類に応じて入れる場所を決め、コンベアがかきあげる食器の種類を選べるのを特徴とする。
【考案の効果】
【０００５】
本考案の食器選別かきあげシステムは、洗い終わった食器が同じ種類しか流れてこないので、食器を保管する際に食器を分別しなくても籠にそのまま入れて保管できる利点がある。それにより食器を分別する時間がないので作業の時間短縮になる。
【考案を実施するための最良の形態】
【０００６】
本実用新案の実施形態について図面を参照しながら説明する。
【０００７】
図1は、1シャワーシンクと2食器洗浄機と3クリーンテーブルを取り付けた正面図である。1シャワーシンクに食器を種類別にシンク内に投入できる5ルートを作り、2食器洗浄機近くまで運ばれる。6開閉板を任意的に選ぶことによって、選んだ5ルートの食器が自動的に7コンベアに乗って2食器洗浄機で洗浄される。洗浄された後、3クリーンテーブルの8籠に人力で食器を保管するシステムである。
【産業上の利用可能性】
【０００８】
シャワーシンクに食器を選別して入れるルートを作り、開閉板により食器を選んで食器洗浄機まで運ぶもの。これにより洗浄された食器を選別しなくてもよく、作業者の時間短縮になる。
【図面の簡単な説明】
【０００９】
【図１】本実用新案の正面図である。
【符号の説明】
【００１０】
１    シャワーシンク
２    食器洗浄機
３    クリーンテーブル
４    食器
５    ルート
６    開閉板
７    コンベア
８    籠
【図１】
0003120424.tif 000003
【手続補正書】
【提出日】平成17年12月21日(2005.12.21)
【手続補正１】
【補正対象書類名】実用新案登録請求の範囲
【補正対象項目名】請求項１
【補正方法】変更
【補正の内容】
【請求項１】
業務用かきあげ式食器洗浄機等において、シンク等を前洗い場として使用するが、シンクタンク内に食器を入れる際、各食器専用のルートをもうけ食器の種類を区別して入れられるようにし、ポンプ等を用いて水流をおこしそのまま食器洗浄機まで送るシステム
【手続補正２】
【補正対象書類名】実用新案登録請求の範囲
【補正対象項目名】請求項２
【補正方法】変更
【補正の内容】
【請求項２】
請求項１において、区別された食器を食器洗浄機のコンベアがかきあげるが、開閉板を操作することにより任意的に食器の種類を選べてかきあげることができるシステム
【手続補正３】
【補正対象書類名】明細書
【補正対象項目名】０００７
【補正方法】変更
【補正の内容】
【０００７】
図1は、１シャワーシンクと２食器洗浄機と３クリーンテーブルを取り付けた正面図である。１シャワーシンクに食器を種類別にシンク内に投入できる５ルートを作り、９ポンプにより１０水の流れを作り２食器洗浄機近くまで運ばれる。６開閉板を任意的に選ぶことによって、選んだ５ルートの食器が自動的に７コンベアに乗って２食器洗浄機で洗浄される。洗浄された後、３クリーンテーブルの８籠に人力で食器を保管するシステムである。
【手続補正４】
【補正対象書類名】明細書
【補正対象項目名】００１０
【補正方法】変更
【補正の内容】
【００１０】
１    シャワーシンク
２    食器洗浄機
３    クリーンテーブル
４    食器
５    ルート
６    開閉板
７    コンベア
８    籠
９    ポンプ
１０    水の流れ
【手続補正５】
【補正対象書類名】図面
【補正対象項目名】図１
【補正方法】変更
【補正の内容】
【図１】
0003120424.tif 000004
(57)【要約】【課題】  特に不定形の荷物で、上部に軽量な荷物、下部に重い荷物を載置する場合に有効で、近距離輸送に特に有効な荷崩れ防止具を提供する。【解決手段】  パレット上に載置した荷物のほぼ全体を覆う大きさを有するネットと、該ネットの下部に挿入し、荷物の下部を締め付けるベルトと、下部の荷物の四隅を保護するコーナー保護具とからなることを特徴とする荷崩れ防止具。【選択図】図１
0003120430.tif 000002
【実用新案登録請求の範囲】
【請求項１】
パレット上に載置した荷物のほぼ全体を覆う大きさを有するネットと、該ネットの下部に挿入し、荷物の下部を締め付けるベルトと、下部の荷物の四隅を保護するコーナー保護具とからなることを特徴とする荷崩れ防止具。
【考案の詳細な説明】
【技術分野】
【０００１】  本考案は、主に不定形物の荷物で、上部に軽量の荷物を載置し、運搬するための荷崩れ防止具に関するものである。
【背景技術】
【０００２】  従来の技術として、パレットに積み重ねられた多数個の荷物の外周部に配置され、両端部で締付け固定することができる固定具と、この固定具に取付けられた前記パレットに積み重ねられた多数個の荷物の角部寄りの部位に位置する少なくとも４本以上の荷崩れ防止バーとからなることを特徴とするパレットの積載荷物の荷崩れ防止具がある。（特許文献１参照）【０００３】  また、他の従来技術として、上、下二枚のシート又はネットを重ねたものからなり、該二枚のシート又はネットの四隅に荷物を固定する固定具を有する構造からなる荷物包被シート及びと荷物の下に敷く下敷ネットからなり、該荷物包被シートと該下敷ネットとを固定具で連結する荷崩れ防止具がある。（特許文献２参照）
【特許文献１】  特開２００３−１０４３７３号公報
【特許文献２】  実開平６−４９３５９号公報
【考案の開示】
【考案が解決しようとする課題】
【０００４】  上記前者の場合は、基本的に同形の荷物を運搬する場合に使用するもので、不定形の荷物を運搬するには不向きである。【０００５】  また、上記後者は、上下２枚のネットにより構成されているもので、載置作業に時間がかかると共に、取り外しにも手間がかかるものである。【０００６】  本考案は、上記問題点を解決するためなされたもので、その目的は、特に不定形の荷物で、上部に軽量な荷物、下部に重い荷物を載置する場合に有効で、近距離輸送に特に有効な荷崩れ防止具を提供するものである。
【課題を解決するための手段】
【０００７】  本考案は、上記目的を達成するための手段として、パレット上に載置した荷物のほぼ全体を覆う大きさを有するネットと、該ネットの下部に挿入し、荷物の下部を締め付けるベルトと、下部の荷物の四隅を保護するコーナー保護具とからなることを特徴とする。
【考案の効果】
【０００８】１）、ネットとベルトとコーナー保護具との構成により、特に不定形の荷物でパレットの上部に軽量な荷物、下部に重い荷物を載置し、近距離輸送に有効である。
２）、上記構成であり、コスト的にも安価に提供でき、シンプルな構成のため故障することも少ない。
３）、取り付け、取り外しが素人でも簡単にでき、確実に保持できる。
【考案の実施するための最良の形態】
【０００９】  荷崩れ防止具は、パレット上に載置した荷物のほぼ全体を覆う大きさのネット１と、該ネット１の下部全周に挿入し、荷物の下部を締め付けるベルト２と、下部の荷物の四隅を保護するコーナー保護具４から構成される。
【００１０】  上記ベルト２は、構造的にベルト本体Ｂの一端Ｂ１に固定された連結孔２ａを設けてなる固定連結具２Ａと、ベルト本体Ｂの他端Ｂ２に移動可能な上記連結孔２ａに着脱自在に差し込む突部３ａを形成し、略ロ形の回動する締付枠３ｂ１に、水平方向にスライドするスライド軸３ｂ２を設けてなる締付具３とから構成されるもので、ベルト本体Ｂの他端部Ｂ２をスライド軸３ｂ２と締付枠３ｂ１の間Ａ１に通し、つづいて間Ａに通し、輪片３ｃを形成し、再度ベルトＢの他端部Ｂ２先端Ｓを間Ａに通し、先端Ｓを輪片３ｃの一片３ｃ１にベルト通し状に固着Ｋした止部３ｄにて移動自在に形成してなるもので、上記輪片３ｃに引張具（通称Ｄ環）３ｅを設けてなるものが好ましい。
【００１１】  上記コーナー保護具４は、平面Ｌ字形の保護具本体４ａの外側面２箇所にベルト挿通孔４ｂを設けてなるものである。
【００１２】  つぎに、荷崩れ防止具の使用例について述べる。
まず、パレットＰ上に重い不定形の荷物Ｎを載置し、その上方に軽量な不定形の荷物Ｎ１を載置する。
つづいて、ネット２を上方より下方へ被せた後、該ネット２の下部全周にベルト２を通しつつ、各コーナーの下部の荷物Ｎにコーナー保護具４のベルト挿通孔４ｂにベルト２を通した後、締め付けるものである。
【００１３】  上記ベルト２の締め付け方法は、まず、固定連結具２Ａの連結孔２ａに、締付具３の突部３ａを挿入し、連結する。
つぎに、引張具３ｅを水平方向（この例の場合、左方向）に引っ張ることにより、輪片３ｃは大きくなり、同時にスライド軸３ｂ２が移動（この例の場合、左方向）し、締付枠３ｂ１との間Ａが狭くなり、ベルトＢとベルトＢの他端Ｂ２が押圧されながら接触し、最終的にスライド軸３ｂ２にて締付挟持され固定する。
この時、ベルト本体Ｂの先端Ｓは止部３ｄにて係止している。
上記の状態で、ベルト本体Ｂは締め付けられ、荷物Ｎ・Ｎ１は移動しないように固定されている。
【００１４】  つぎに、ベルトＢを緩める方法について説明する。
引張具３ｅを持ち、垂直方向に引っ張ることにより、締付具３の締付枠３ｂ１を反転させ、スライド軸３ｂ２が上方向に移動すると同時にベルト本体Ｂが緩み、固定連結具２Ａと締付具３とを分離させ、荷物Ｎ・Ｎ１を取り出すことができるものである。
【００１５】  上記実施例におけるネットの材質や大きさは必要に応じて決めればよい。
また、ベルトの構造も他の構造も一考である。
【図面の簡単な説明】
【００１６】
【図１】  本考案の荷崩れ防止具のネットの平面図。
【図２】  本考案の荷崩れ防止具のベルトの平面図。
【図３】  本考案の荷崩れ防止具のベルトの正面図。
【図４】  本考案の荷崩れ防止具のコーナー保護具の正面図。
【図５】  本考案の荷崩れ防止具のコーナー保護具の側面図。
【図６】  本考案の荷崩れ防止具の使用状態の正面図。
【図７】  本考案の荷崩れ防止具のベルトの取り付けの平面図。
【図８】  本考案の荷崩れ防止具のベルトの取り外しの平面図。
【符号の説明】
【００１７】  １−−−ネット
２−−−ベルト
２ａ−−連結孔
２Ａ−−固定連結具
３−−−締付具
３ａ−−突部
３ｂ１−締付枠
３ｂ２−スライド軸
３ｃ−−輪片
３ｄ−−止部
３ｅ−−引張具
４−−−コーナー保護具
Ｐ−−−パレット
Ｎ−−−不定形の荷物
Ｂ−−−ベルト本体
Ａ−−−間
Ｓ−−−先端
【図１】
0003120430.tif 000003
【図２】
0003120430.tif 000004
【図３】
0003120430.tif 000005
【図４】
0003120430.tif 000006
【図５】
0003120430.tif 000007
【図６】
0003120430.tif 000008
【図７】
0003120430.tif 000009
【図８】
0003120430.tif 000010
(57)【要約】      （修正有）【課題】スライドカバーは互いに衝突する事無く、テーブルの移動距離にスライドし、機械に衝突を与えず、カバーも破損しない工作機械の無衝撃ハイスピードスライドカバーを提供する。【解決手段】スライドカバーの内側にラックピニオンを取り付けると、ラック上部はピニオン移動距離の２倍走行する原理を応用し、無衝撃でテーブルの動きに追走出来る高速スライドカバーが製作出来る。【選択図】図１
0003120426.tif 000002
【実用新案登録請求の範囲】
【請求項１】
工作機械のスライドカバーは、テーブルの動きに追走してスライドするが、最終段と次段の突起部分が互いに衝突し、引きずりながらスライドする。同様に、次段と最終段も次々と追走する。その時に起きる衝撃で機械に振動を起こし、精度を狂わし、スライドカバーを破損する。
そこでピニオンを中心にラックを上下２本で構成すると、ピニオンの転がる距離の２倍ラックは移動する原理を応用し、ラックの上段を最初段に取り付け、ピニオンは次段に取り付け、ラック下部は最終段に取り付けると、スライドカバーは従来の突起部を互いに衝突させずに、ラックとピニオンの為高速で移動する工作機械のテーブルに合わせ、スライドする。
【考案の詳細な説明】
【技術分野】
【０００１】ジャバラ
【背景技術】
【０００２】工作機械
【考案の開示】
【考案が解決しようとする課題】
【０００３】工作機械のスライドカバーは、突起部分を互いに衝突させ、引っ掛け合いながらスライドする為、高速に移動するテーブルに追従する時に衝撃が起き、機械の精度を狂わせ、スライドカバーが破損する。
【課題を解決する為の手段】
【０００４】スライドカバーの突起が互いに衝突し、引っ掛け合いながらスライドするという考えを捨て、ラックピニオンの転がりの距離と、スライドカバーの移動距離の差を応用する。
【考案の効果】
【０００５】スライドカバーは互いに衝突する事無く、テーブルの移動距離にスライドし、機械に衝撃を与えず、カバーも破損しない。
【考案を実施する為の最良の形態】
【０００６】ピニオンを中心にラックを上下各１本づつ取り付ける。
するとピニオンの転がる距離の２倍ラックは移動することを応用しスライドカバーに取り付ける
【０００７】スライドカバーの水平移動を精度あるものにする為、歯車と上下２本で構成されたラックピニオンは、水平方向に２セット取り付ける。
【実施例】
【０００８】穴あけ工作機械
【産業上の利用可能性】
【０００９】最近の工作機械は、テーブル移動スピードが高速化し、精度要求も高いので、機械に負荷をかけないこのスライドカバーは、工作機械業界のニーズに応えられるものになる。
【図面の簡単な説明】
【００１０】
【図１】スライドカバーの縮んだ時と伸びた時を示す図である。
【符号の説明】
【００１１】１、スライドカバー最初段
２、次のスライドカバー
３、最終段スライドカバー
４、ラック上部
５、ラック下部
６、ピニオン
７、ピニオン取付金具
８、工作機械テーブル
【図１】
0003120426.tif 000003
【手続補正書】
【提出日】平成17年12月26日(2005.12.26)
【手続補正１】
【補正対象書類名】実用新案登録請求の範囲
【補正対象項目名】全文
【補正方法】変更
【補正の内容】
【実用新案登録請求の範囲】
【請求項１】
スライドカバーとラックピニオンを接合した多段式保護ジャバラ
(57)【要約】      （修正有）【課題】自動開閉式で簡単にドアーの上にシートの張出を可能にする自動車用雨除けシート収納装置を提供する。【解決手段】筒状の容器の中にシート、開閉機構、駆動装置等を収納し手動開閉、遠隔操作可能とし降雨時開閉し雨除け用にドアー上部（自動車屋根）にシートを張り出し雨に濡れる事無く乗降を容易に行う事を可能にする。【選択図】図１
0003120429.tif 000002
【実用新案登録請求の範囲】
【請求項１】
自動車乗降時で降雨時に車屋根よりドアーの上部にシート張り出しの為にシートの開放収納を行う事を目的に、シート収納装置の中にシート、シート開閉のための駆動軸、開閉機構、軸駆動装置を納め、駆動軸には軸全長の中心を境に左右逆ネジを設けこれを回転させる事で軸上をシート開閉機構の駒が移動しシートを開閉せしめる、シート開閉補助に１本以上複数本のワイヤーを設けワイヤー巻取り装置を駆動軸に取付けシート開閉時に同時回転させる事でシートの開閉を容易にせしめる事を特徴とする自動車用雨除けシート収納装置。
【請求項２】
シート開閉補助のワイヤーは柔軟性のある材質で樹脂、金属、記憶合金、バネ等材質を特定せず使用可能、シート材質は布、化学繊維、樹脂製、金属製等材質は限定せず用途により使分けを可能とし劣化が少なく取替えが容易なものとし、シート開閉機構関係の部品材質は樹脂製、金属製等何れでも良く使用場所により選定を変える事も可能とする特徴を持つ請求項１の自動車用雨除けシート収納装置。
【請求項３】
収納装置形状は円形または多角形で装置取付け台とは分離可能で収納装置は取付け台上を回転可能構造としシート開放時の角度調整が可能ならしめ設置場所を選ばない、取付け台の自動車本体への取付け方法は磁力、バンド締付け、ネジ取付け、吸盤等設置方法により選定可能で屋根の形状設置方法を問わず、収納装置の取付けは組込み後付も可能な事を特徴とする請求項１，２の自動車用雨除けシート収納装置。
【請求項４】
収納装置の開閉時には直接操作遠隔操作等に誤作動防止用に駆動装置開閉条件に自動車の運転条件を加味し開閉操作にロックを掛ける事も可能とし、車内外からの遠隔操作に依る開閉可能とする特徴を持つ請求項１，２，３の自動車用雨除けシート収納装置。
【考案の詳細な説明】
【技術分野】
【０００１】本考案は、車屋根に取付け雨降り時自動車を乗降時に雨に濡れない様にするためドアーの上にシートを張り乗降時雨に濡れない為の雨除け装置である。雨降り時自動車に乗降する人は傘を持参しドアーを開閉するがこの際車内に出入する時に傘をたたむがこの際短時間であるが雨に濡れてしまう。この短時間でも雨に濡れない様にドアーを開閉する前にシートを張り出し傘の代用し乗降環境が向上するための自動車用雨除けシート収納装置である。
【背景技術】
【０００２】現在の自動車には乗降時降雨による乗降者に対する雨濡れ防止装置は無く特に人の補助が無いと乗降する時は短時間でも雨に濡れてしまう。
【考案の開示】
【考案が解決しようとする課題】
【０００３】自動車に乗降時降雨による乗降者の雨濡れ防止をする為に車の屋根よりドアー上部に乗降時のみにシートを張り出し乗降者が持参の傘の折りたたみ乗降する時も雨に濡れる事無く乗降を可能にすることを課題とした。
【課題を解決するための手段】
【０００４】本考案は、上記課題を解決するために円形または多角形の筒状の中にシート、シート開閉機構、駆動軸、駆動装置を組込み筒状の容器の一部を切り欠きシートを開く時はこの切り欠き場所から円筒部の一部を伴ってシートを張り出す。シート収納時はシートを折りたたみながら筒の中に収納し円筒部の一部が切り欠き部に納まる事で収納完了とする事で解決する。
【考案の効果】
【０００５】本考案の自動車用雨除けシート収納装置は車のドアーの上（自動車屋根）に設置する事で降雨時の自動車の乗降時に雨に濡れる事無く乗降は可能となる。【０００６】この装置は手動直接操作、遠隔操作で開閉が可能なため車内外から開閉可能で自動車の運転状況を加味しロックをする事で走行中に誤作動開閉の心配は無く安全である。
【考案を実施するための最良の形態】
【０００７】以下に本考案に係る自動車用雨除けシート収納装置の好適な実施形態を添付図参照にしながら詳述する。図１はシート収納装置を開放した状態を正面から見た図であり、装置収納容器１に内蔵された駆動装置２に接続した開閉装置駆動軸４に取付けられた開閉機構用移動コマ５は２個あり開閉装置駆動軸４が回転する事で左右反対方向に動きシート開閉ガイド８はシート開閉ガイド用ピン１１を支点にして開閉機構用移動コマ５が近づく移動をするとシート３は開方向に伸びる。開閉機構用移動コマ５が遠ざかる方向に移動するとシート３は装置収納容器１内に収納される。シート３の開閉動作をスムーズにする為にシート３の両端と中央にシート補助ワイヤー７を設け全体の開閉を容易にする。シート補助ワイヤー７の材質は柔軟性を持った材料でまたは柔軟性のある記憶合金を使用しシート補助ワイヤー巻取り機６によって巻取り動作を行う。【０００８】開閉駆動軸の中央を中心にして反対に切られたネジ溝４ａにより開閉機構用移動コマ５は容易に相反する方向に移動する事が可能となる。シート補助ワイヤー巻取り機６は駆動軸が回転しても移動しない。【０００９】図２はシート３が全開状態の時の側面から見た図である。装置収納容器１の一部を切り欠き収納容器円筒切欠き部９はシート開閉ガイド８の一部として使用し開閉機構の剛性を持たせている。シート３の収納時収納容器円筒切欠き部９は装置収納容器１の切欠き部と勘合し全閉時には装置収納容器１筒状になる。シート３は全開時でもヒダ状になる状態にして置く。収納時はヒダの所より容易に折込める状態にしてある。装置収納容器取付け台１０と装置収納容器１とは取付け時にシート３の張出角度を自由に設定出来る様な構造である。【００１０】図３はシート収納装置の全閉状態の内部の断面であり、折込まれたシート３ａシート補助ワイヤー７シート開閉ガイド８が容器内にコンパクトに収容されている。
【図面の簡単な説明】
【００１１】
【図１】  自動車用雨除けシート収納装置の開放時の概要を示す図である。
【図２】  シート収納装置の開放時の状態を側面から見た図である。
【図３】  シート収納装置のシートを収納した時の収納装置の断面図である。
【図４】  シート開閉ガイド用ピンの移動支点部の詳細図である。
【符号の説明】
【００１２】  １  装置収納容器
２  駆動装置
３  シート
３ａ  折込まれたシート
４  開閉装置駆動軸
４ａ  ネジ溝
５  開閉機構用移動コマ
６  シート補助ワイヤー巻取り機
７  シート補助ワイヤー
８  シート開閉ガイド
９  収納容器円筒切欠き部
１０  装置収納容器取付け台
１１  シート開閉ガイド用ピン
【図１】
0003120429.tif 000003
【図２】
0003120429.tif 000004
【図３】
0003120429.tif 000005
【図４】
0003120429.tif 000006
(57)【要約】      （修正有）【課題】酸化、風味の劣化、害虫の侵入等が抑えられ品質保持の上長期保存が可能となるチューブ入り練り唐辛子の提供。【解決手段】乾燥又は塩漬又は冷凍又は生鮮唐辛子をペースト状に磨砕し、植物性油脂等を混合し、チューブ状容器に充填したものである。使用時キャップを外しチューブの外側を押圧することにより簡単に最低必要量を突起口より取り出せる利便性を有し携帯が可能である。パウダー容器品と異なり扇風機、クーラー等の風による飛散も無く外気がキャップにより遮断される。【選択図】図１
0003120422.tif 000002
【実用新案登録請求の範囲】
【請求項１】
乾燥又は塩漬又は冷凍又は生鮮唐辛子をペースト状に磨砕し、植物性油脂等を混合し、図面１のチューブ状容器に充填したもの。
【考案の詳細な説明】
【技術分野】
【０００１】  本考案は、乾燥・塩蔵・冷凍又は生鮮唐辛子をペースト状に磨砕し、植物性油脂等を加えチューブ状容器に詰めたもの。
【背景技術】
【０００２】  乾燥一味唐辛子等は少量容器詰めにて家庭、業務用等に一般普及しているが、少量保存容器等は開封後空気等の流入による酸化の為、変色、風味の劣化、害虫の発生、長期一定品質保持に難点があった。
【考案の開示】
【考案が解決しようとする課題】
【０００３】  家庭では賞味期限以内であっても開封後は変色、風味の劣化等により使い切ることは稀で廃棄していた。
資源の無駄であり品質の劣化を抑え長期品質保持に難点があった。
【課題を解決するための手段】
【０００４】  本考案は、唐辛子をペースト状に加工し、チューブ等に充填することにより問題を解決した。
必要量をチューブの先より取り出し使用する。
使用後はチューブの先にキャップすることにより外気と練り唐辛子を遮断する。
チューブ内は外気と触れることなく一定の状態を保ち、品質劣化を抑え長期保存に耐えられるよう工夫した。
【考案の効果】
【０００５】  上述の様に、本考案のチューブ入り練り唐辛子は必要量を簡単に取り出すことが可能で、風等による飛散も無く、品質の安定と雑菌からの汚染防止、開封後の長期保存が可能となった。
【考案の実施するための最良の形態】
【０００６】  本考案は汎用性を有し、容器の材質及び容量の大小は問わない。
【図面の簡単な説明】
【０００７】
【図１】本考案のチューブ入り練り唐辛子の外装の一例
【図２】使用時の形態
【図１】
0003120422.tif 000003
【図２】
0003120422.tif 000004
【手続補正書】
【提出日】平成17年12月26日(2005.12.26)
【手続補正１】
【補正対象書類名】実用新案登録請求の範囲
【補正対象項目名】全文
【補正方法】変更
【補正の内容】
【実用新案登録請求の範囲】
【請求項１】
乾燥又は塩漬又は冷凍又は生鮮唐辛子をペースト状に磨砕し、植物性油脂、食塩を混合することにより利便性と保存性を高めることを特徴とするチューブ入り練り唐辛子。
(57)【要約】【課題】廃棄物となる貝殻を資源として有効利用可能な貝殻混入植木鉢を提供する。【解決手段】３０重量％の貝殻粉砕物１と７０重量％の溶融プラスチックとを混合して成る貝殻混入プラスチックから成っている。貝殻混入植木鉢は、円錐台を逆さにした筒状の側壁２の底部３を塞いだ形状を有し、外面および内面に２ミリ角程度の大きさの貝殻粉砕物１が散点状に露出している。【選択図】図１
0003120401.tif 000002
【実用新案登録請求の範囲】
【請求項１】
貝殻粉砕物と溶融プラスチックとを混合して成る貝殻混入プラスチックから成り、筒状の側壁の底部を塞いだ形状を有し、外面および内面に前記貝殻粉砕物が散点状に露出していることを特徴とする貝殻混入植木鉢。
【考案の詳細な説明】
【技術分野】
【０００１】
本考案は、貝殻粉砕物と溶融プラスチックとを混合して成る貝殻混入プラスチックから成る貝殻混入植木鉢に関する。
【背景技術】
【０００２】
従来、プラスチック製の植木鉢が知られている（例えば、特許文献１参照）。
【０００３】
【特許文献１】特開平７−２０３７７２号公報
【考案の開示】
【考案が解決しようとする課題】
【０００４】
ところで、カキの養殖では、カキ殻やホタテの貝殻などの廃棄物が多量に発生し、処理コストが嵩むという課題があった。
【０００５】
本考案は、このような従来の課題に着目してなされたもので、廃棄物となる貝殻を資源として有効利用可能な貝殻混入植木鉢を提供することを目的とする。
【課題を解決するための手段】
【０００６】
上記目的を達成するために、本考案に係る貝殻混入植木鉢は、貝殻粉砕物と溶融プラスチックとを混合して成る貝殻混入プラスチックから成り、筒状の側壁の底部を塞いだ形状を有し、外面および内面に前記貝殻粉砕物が散点状に露出していることを特徴とする。
【０００７】
貝殻混入プラスチックは、特開２００５−１６１７７５号公報に記載されたプラスチック一軸押出成形機および無機物分散プラスチックの製造方法により製造することができる。すなわち、そのプラスチック一軸押出成形機は、ホッパから投入されたプラスチック原料をヒータで加熱されたシリンダの内部で駆動モータにより回転するスクリューによってシリンダの出口へと送りながら溶融するものであり、スクリューは、軸本体の周囲にプラスチック原料をシリンダのホッパ側から出口側へと送るためのネジ山を有し、軸本体の中間部の周囲にネジ山の代わりに歯車状に並列の複数の歯を有し、各歯は軸方向に対しそれぞれ傾斜しており、軸本体の先端部の周囲に前記ネジ山の代わりに混練用の凹凸部を有している。
【０００８】
そのホッパに、プラスチック原料と貝殻粉砕物とを投入し、プラスチック原料をヒータにより加熱して溶融し、スクリューにより混合する。プラスチック原料には、ポリプロピレンが適している。ヒータによる加熱温度は、通常１６０℃乃至３００℃の温度で、特に、２４０℃乃至２６０℃の温度が好ましい。貝殻粉砕物には、カキ殻やホタテの貝殻などの廃棄物を用いることができる。貝殻粉砕物の大きさは、１ミリ角乃至５ミリ角程度が好ましい。プラスチック原料中の貝殻粉砕物の含量は、１乃至８０重量％、特に１０乃至５０重量％が好ましい。貝殻粉砕物を混合した溶融プラスチックを、筒状の側壁の底部を塞いだ形状に成形し、植木鉢とする。その側壁形状は、例えば、円錐台を逆さにした筒状、円筒状、角筒状などである。底部には、中央に水抜き孔が形成されていることが好ましい。
【０００９】
本考案に係る貝殻混入植木鉢は、貝殻粉砕物として廃棄物となる貝殻を用いることにより、資源の有効利用を図ることができる。貝殻粉砕物は、外面および内面に散点状に露出しているため、大理石のような外観と質感をもたらすことができる。本考案に係る貝殻混入植木鉢は、中に土を入れて植物を栽培するのに用いられる。このとき、貝殻粉砕物は、土に微量ずつ溶出し、土のｐＨを調整するのに役立つ。
【考案の効果】
【００１０】
本考案によれば、廃棄物となる貝殻を資源として有効利用可能な貝殻混入植木鉢を提供することができる。
【考案を実施するための最良の形態】
【００１１】
以下、図面に基づき本考案の実施の形態について説明する。
図１は、本考案の実施の形態の貝殻混入植木鉢を示している。
貝殻混入植木鉢は、３０重量％の貝殻粉砕物１と７０重量％の溶融プラスチックとを混合して成る貝殻混入プラスチックから成っている。貝殻混入植木鉢は、円錐台を逆さにした筒状の側壁２の底部３を塞いだ形状を有し、外面および内面に２ミリ角程度の大きさの貝殻粉砕物１が散点状に露出している。底部３には、中央に水抜き孔が形成されている。
【００１２】
貝殻混入植木鉢は、貝殻粉砕物１として廃棄物となる貝殻を用いることにより、資源の有効利用を図ることができる。貝殻粉砕物１は、外面および内面に散点状に露出しているため、大理石のような外観と質感をもたらすことができる。貝殻混入植木鉢は、中に土を入れて植物を栽培するのに用いられる。このとき、貝殻粉砕物１は、土に微量ずつ溶出し、土のｐＨを調整するのに役立つ。
【図面の簡単な説明】
【００１３】
【図１】本考案の実施の形態の貝殻混入植木鉢の側面図である。
【符号の説明】
【００１４】
１  貝殻粉砕物
２  側壁
３  底部
【図１】
0003120401.tif 000003
(57)【要約】      （修正有）【課題】幼児が下向きに寝る時、空気が流通し、幼児が寝る時の安全性が向上される幼児用下向き寝枕を提供する。【解決手段】上、下面に複数の突出１１が形成され、突出に、通気孔１１１が設けられ、突出と突出との枕面において、複数の通気孔１２が設けられ、また、枕の上、下面において、突出と突出との間に、空間１３が形成され、枕が下へ押される時、空気が、空間を通して枕の通気孔へ流れ込む。【選択図】図１
0003120458.tif 000002
【実用新案登録請求の範囲】
【請求項１】
上、下面に複数の突出が形成され、突出に、通気孔が設けられ、突出と突出の枕面において、複数の通気孔が設けられ、また、枕の上、下面の突出と突出との間に、空間が形成され、枕が下へ押される時、空気が、当該空間を通して枕の通気孔へ流れ込み、これにより、幼児が下向きに寝る時、空気が流通し、幼児が寝る時の安全性が向上される、
ことを特徴とする幼児用下向き寝枕。
【請求項２】
突出は、円形や四角形の何れかの一つであることを特徴とする請求項１に記載の幼児用下向き寝枕。
【請求項３】
枕に、網状カバーが結合されることを特徴とする請求項１に記載の幼児用下向き寝枕。
【請求項４】
枕は、四角形や、隅が円弧状である四角形であることを特徴とする請求項１に記載の幼児用下向き寝枕。
【考案の詳細な説明】
【技術分野】
【０００１】
本考案は、幼児用下向き寝枕に関し、枕の上下に突出が形成され、突出に通気孔が設けられ、これにより、通気孔により、幼児が下向き寝る時、より良い通気ができて安全性が向上されるものに関する。
【背景技術】
【０００２】
図７を参照しながら、当該枕３０は、充填材料が、天然ゴム材質やシリカゲルであり、充填材料の作製方法は、金型に、上記の充填材料を注入し、当該金型の雄型と雌型に、枕が形成されるキャビティーが設置され、雄、雌型の中に、複数のダイセッターが設けられ、雄型と雌型との間に、ノズルが設けられ、、枕の充填材料の原料は、当該ノズルから注入され、金型の内部にある雄型と雌型におって成型され、また、金型に設けられるダイセッターにより、枕３０の充填材料の通気孔３１が形成され、しかしながら、従来の通気枕は、使用する時、次のような欠点がある。
【０００３】
幼い幼児は、通気枕を使用して寝る場合、寝姿が安定的ではなく、上向きに寝たり、下向きに寝たりすることが繰り返されることが多く、また、幼い幼児の頭部が柔らかいため、上向きに寝ると、幼児の頭部が変形する欠点があり、その後、頭の形を調整することが必要とし、また、図８を参照しながら、枕３０が、平らに地面２に放置されると、その通気枕３０の通気孔３１が地面２に抵当し、これにより、通気枕３０の通気孔３１が地面１により塞がれるため、空気が回流する現象（図８のように）が起こり、通気の効果が得られず、また、幼児が下向きに枕の上で寝る時、幼児の情況を観察できず、そのため、通気が良くない枕であれば、幼児がスムーズに呼吸できず、幼児が危険な事態に合う恐れがあり、従来の通気枕に、改善しなければならない所がある。
【考案の開示】
【考案が解決しようとする課題】
【０００４】
本考案は、幼児用下向き寝枕を提供する。
【課題を解決するための手段】
【０００５】
本考案は、上、下面に複数の突出が形成され、突出に、通気孔が設けられ、突出と突出の枕面において、複数の通気孔が設けられ、また、枕の上、下面の突出と突出との間に、空間が形成され、枕が下へ押される時、空気が、当該空間を通して枕の通気孔へ流れ込み、これにより、幼児が下向きに寝る時、空気が流通し、幼児が寝る時の安全性が向上される幼児用下向き寝枕である。
【考案を実施するための最良の形態】
【０００６】
図１、２は、幼児用下向き寝枕であり、当該枕は、四角形で、上、下面に、複数の突出１１が形成され、突出１１が円形や四角形で、通気孔１１１が設けられ、また、突出１１と突出１１との枕面に、複数の通気孔１２が設けられ、枕が下へ押される時、上、下面の突出１１と突出１１との間に、空間１３が形成され、空気が、当該空間１３を通して枕１０の通気孔１２へ流れ込み、これにより、幼児が下向きに寝る時、空気が流通し、幼児が寝る時の安全性が向上される。
【０００７】
図３、４を参照しながら、枕１０に網状カバー２０を結合することができ、当該網状カバー２０により、枕１０の通気性がより向上される。
【０００８】
図５を参照しながら、本考案の枕１０は、隅が円弧状である四角形が好ましく、より実用的である。
【０００９】
図６のように、幼い幼児は、枕１０を使用して寝る場合、寝姿が安定的ではなく、上向きに寝たり、下向きに寝たりすることが繰り返されることが多く、そのため、幼い幼児が下向きに寝る時、枕１０が下へ押される状態になり、枕１０の上、下面の突出１１と突出１１との間に形成された空間１３により、空気が上、下面の空間１３を通して通気孔１２へ流通し、これにより、枕１０と地面１との間に、通気孔により空気が循環に流通され、そのため、幼児が下向きに寝る時、空気ができ、幼児が寝る時の安全性が向上され、特に、幼児が下向きに寝る時、空気がない事情に合うことを防止でき、上記のように、本考案の枕１０は、より良い通気の効果が得られ、幼児が寝る時の安全性が向上される。
【図面の簡単な説明】
【００１０】
【図１】本考案の外観概念図
【図２】図１の断面図
【図３】本考案の実施例の組立て外観図
【図４】図３の組立て分解図
【図５】本考案の他の実施例の外観図
【図６】本考案の実施例の概念図
【図７】従来の外観概念図
【図８】従来の実施例の概念図
【符号の説明】
【００１１】
本考案
１            地面
１０          枕
１１          突出
１１１        通気孔
１２          通気孔
１３          空間
２０          カバー
従来 
２            地面
３０          枕
３１          通気孔
【図１】
0003120458.tif 000003
【図２】
0003120458.tif 000004
【図３】
0003120458.tif 000005
【図４】
0003120458.tif 000006
【図５】
0003120458.tif 000007
【図６】
0003120458.tif 000008
【図７】
0003120458.tif 000009
【図８】
0003120458.tif 000010
(57)【要約】      （修正有）【課題】衰えた大腿部の内臀筋を効果的に、鍛えて回復させるトレーニング器具であり、高齢者等含め失禁の悩みから解放することを提供する。【解決手段】センターバー１の内部に、コイルバネ２を設け、このセンターバー１の左右両端に、フットレバー３を一体に設けた、フット支持ケース４を挿入して設け、さらにこのフット支持ケース４の片側上部に筋力計５を装着する。【選択図】図１
0003120451.tif 000002
【実用新案登録請求の範囲】
【請求項１】
センターバー（１）の内部に、コイルバネ（２）を設け、このセンターバー（１）の左右両端に、フットレバー（３）を一体に設けた、フット支持ケース（４）を挿入して設け、さらにこのフット支持ケース（４）の片側上部に筋力計（５）を装着してなる大腿・内臀筋トレーニング器具。
【考案の詳細な説明】
【技術分野】
【０００１】    本考案は、衰えている一部の筋肉を無理なく回復させる、トレーニング器具の技術に関するものである。
【背景技術】
【０００２】    昨今、高齢化による体力の衰えに対しては、介護中心になっているが最近では体力の衰えを予防する方向として、予防介護に変わってきており、介護保険制度も見直されてきた。つまり体力向上には、ある程度の運動等で訓練して回復する事が好ましい。
【考案の開示】
【考案が解決しようとする課題】
【０００３】    現在特に、人の尊厳に関わる失禁は大きな悩みの一つであるが、高齢化と共にほとんどの場合に、少なからず男女問わず起こってくるので問題であった。
これら問題点を改善し、より最大の効果を成すために本考案はなされたのである。
【課題を解決するための手段】
【０００４】    これらの課題を解決する手段として、高齢者でも誰でも気軽に出来る、トレーニング器具を使用して、衰えた筋力を回復させることである。この本考案の構成、構造を説明すれば、センターバー（１）の内部に、コイルバネ（２）を挿入して設け、またこのセンターバー（１）の左右両端に、このバーの内部を左右自在に滑動できるようにした、左右のフット支持ケース（４）を同じく挿入する。この挿入部分は、前記支持ケースのフット支持ケース挿入部（６）を差し込む。この時、ここに挿入されているコイルバネ（２）を左右から圧縮出来る位置に設ける。さらにフット支持ケース（４）に一体に、フットレバー（３）を設ける。このフットレバー（３）は使用者が足で挟んでトレーニングする為のものである。さらにフット支持ケース（４）の片側上部の適当なる位置に、この伸縮する力を電気信号回路で捕らえる、筋力計（５）を装着して設ける。
このような構成であるから、使用する時には、フットレバー（３）に足のスネから足のモモの部位までの適当なる位置に、両足で挟み込んで、股を締める方向に、つまりセンターバー（１）内のコイルバネ（２）を左右から圧しこむ方向に、足の力を入れてこれを繰り返えすだけでよい。この時に筋力計（５）の表示を見て、日増しに筋力が何Ｋｇに増えているのかを確認にしながら、楽しんで大腿の内臀筋を鍛える事ができる。
【考案の効果】
【０００５】  本考案はもも、臀部の筋肉のトレーニングにより、高齢者等の失禁予防の器具として使用し、また御婦人の出産後の下半身を回復させて、尚鍛える事が出来るものである。
さらに、尿道や直腸の括約筋の機能を高め、ウェストや足が細くなり美容健康に良い。
【考案を実施するための最良の形態】
【０００６】  まずパイプ状である、センターバー（１）を用意する。そしてこの内部に、コイルバネ（２）を挿入して設ける。次にこのセンターバー（１）の左右両端より、フットレバー（３）を一体に設けた、フット支持ケース（４）を挿入して設ける。さらにこのフット支持ケース（４）の片側上部に筋力計（５）を装着する。このコイルバネ（２）は、フット支持ケースの挿入部分に、突当たる形で設けられている。つまり、図２のごとく高齢者がフットレバー（３）を足の間に挟んで股を内側へ締める方向に動かすと、フット支持ケース（４）がコイルバネ（２）を圧縮、また、コイルバネ（２）の反発力で戻される。この伸縮の繰り返しを行うトレーニング器具として形成する。
【図面の簡単な説明】
【０００７】
【図１】  本考案の一部断面の斜視図である。
【図２】  本考案の実施図である。
【符号の説明】
【０００８】  １  センターバー
２  コイルバネ
３  フットレバー
４  フット支持ケース
５  筋力計
６  フット支持ケース挿入部
【図１】
0003120451.tif 000003
【図２】
0003120451.tif 000004
(57)【要約】      （修正有）【課題】アルミ金属はすばやく熱を伝えるため髪の成型にかかる時間が短くてすみ、洗いやすいので清潔が保て、繰り返し使用できるという特長を有するアルミ製カーラーの構造を提供する。【解決手段】中が空洞のアルミ管１及び二つの先端部分２，２１からなり、その中が空洞のアルミ管の外部には複数のくぼみ槽１１があり、その先端部分の外周縁には複数の固定部分４１がある。先端部分を利用して中が空洞のアルミ管の両側の開口部にはめ込み、アルミ製カーラーの構造を形成する。【選択図】図１
0003120456.tif 000002
【実用新案登録請求の範囲】
【請求項１】
中が空洞のアルミ管及び二つの先端部分からなり、
中が空洞のアルミ管の外部には複数のくぼみ槽があって、
先端部分の外周縁には複数の固定部分及びくぼみ部分があって、
使用時には、まず、髪を中が空洞のアルミ管中が空洞のアルミ管の外部に巻きつけ、次に、スプリングパーツを固定部分の間のくぼみ部分の位置にかけて固定することにより、中が空洞のアルミ管に巻いた髪の毛が固定できるという特長を持つ、アルミ製カーラーの構造。
【請求項２】
先端部分が中が空洞のアルミ管とは別のそれぞれ単独のパーツであり、組み合わせる際にその先端部分が中が空洞のアルミ管の両側の開口部にはめ込むようになった、請求項１に記載のアルミ製カーラーの構造。
【請求項３】
上述の中が空洞のアルミ管及び二つの先端部分が、アルミ金属による一体成型からなり、つながった状態の中が空洞の管状となった、請求項１に記載のアルミ製カーラーの構造。
【考案の詳細な説明】
【技術分野】
【０００１】
本考案はアルミ製カーラーの構造に関する。本考案のアルミ製カーラーの構造は、先端部分を利用して中が空洞のアルミ管の両端の開口部にはめ込んで、アルミ製カーラーの構造を形成することにより、熱伝導が早く短い時間で髪の成型が可能であるという特長を持つ。
【背景技術】
【０００２】
ヘアースタイルを変えることは、誰でも新鮮さを感じるものである。故に、男女に関わらず、ヘアースタイルを重視する傾向はますますエスカレートする一方である。特に、パーマをかけてヘアースタイルを整える方法は変化に富んだデザインが可能なので、現代の流行であり人気が高い。
パーマネントは、カーラーを髪に巻きつけて、薄い紙をゴム輪等を使用して留め、機械で加熱して髪をカールさせてヘアースタイルを作り出す方法である。
従来のカーラーは全てプラスチック製のもので、プラスチック製のカーラーには以下のようないくつかの欠点がある。
１、           
熱伝導がよくないため、パーマネントをかける時は、相当長い時間を必要とする。
２、           
洗いにくいため、薬剤や汚れが残留しやすい。
３、           
パーマの際の温度が低いことや時間が短いことが原因で、髪のカールの度合いが足りず、パーマが長持ちしない。
【考案の開示】
【考案が解決しようとする課題】
【０００３】
本考案は、上記従来の問題点を解決することを課題とする。
【課題を解決するための手段】
【０００４】
本考案のアルミ製カーラーの構造は、中が空洞のアルミ管及び二つの先端部分からなり、その中が空洞のアルミ管の外部には複数のくぼみ槽があり、その先端部分の外周縁には複数の固定部分がある。先端部分を利用して中が空洞のアルミ管の両側の開口部にはめ込み、アルミ製カーラーの構造を形成する。アルミ金属はすばやく熱を伝えるため、髪の成型にかかる時間が短くてすむ。さらに、洗いやすいので清潔が保て、繰り返し使用できる。
【考案の効果】
【０００５】
本考案のアルミ製カーラーの構造は、中が空洞のアルミ管及び二つの先端部分からなる。この先端部分の外周縁には、複数の固定部分があって、先端部分を利用して中が空洞のアルミ管の両端開口部にはめ込んで、アルミ製カーラーの構造を形成するようになっている。
上述の技術と方法により、本考案のアルミ製カーラーは従来のタイプの欠点を改善して、以下のような効果がある。
１、           
熱伝導がよい。アルミは熱をすばやく伝えるため、髪を成型する時間が短くてすむ。
２、           
洗いやすいので、薬剤や汚れ等が残留しないので清潔である。さらに、繰り返し使用が可能である。
３、           
カールがつきやすい。熱伝導がよいので、パーマが長持ちする。
【考案を実施するための最良の形態】
【０００６】
図１及び図２を参照いただきたい。これは第一実施例である。本考案のアルミ製カーラーの構造は、中が空洞のアルミ管１、二つの先端部分２、２’からなる。
【０００７】
上述の中が空洞のアルミ管１の外部には複数のくぼみ槽１１があり、摩擦によって滑りを留める効果がある。
【０００８】
上述の先端部分２、２’の外周縁には複数の固定部分２１、２１’及びくぼみ部分２２、２２’がある。
【０００９】
上述の先端部分２、２’と中が空洞のアルミ管１はそれぞれ単独のパーツであり、その先端部分２、２’は中が空洞のアルミ管１の両側の開口部にはめ込むようになっている。
【００１０】
上述のパーツの組立構造は、図１から図３を参照いただきたい。本考案のアルミ製カーラーは、先端部分２、２’を利用して、中が空洞のアルミ管１の両側の開口部にはめ込んで、アルミ製カーラーを形成するようになっている。図４を参照いただきたい。使用時には、まず、髪を中が空洞のアルミ管中が空洞のアルミ管１の外部に巻きつけ（図には示されていない）、次に、スプリングパーツ５（ゴム輪など）を固定部分２１、２１’の間のくぼみ部分２２、２２’の位置にかけて固定することにより、中が空洞のアルミ管１に巻いた髪の毛が固定できる。
【００１１】
図５を参照いただきたい。これは第二実施例のアルミ製カーラーの断面図である。中が空洞のアルミ管３及び二つの先端部分４、４’があり、この中が空洞のアルミ管３及び二つの先端部分４、４’がアルミ金属で一体形成されて、つながった状態の中が空洞の管状となっている。また、二つの先端部分４、４’の外周縁には、複数の固定部分４１、４１'及びくぼみ部分４２、４２’がある。その使用方法は図４の実施例と同様である。
【図面の簡単な説明】
【００１２】
【図１】本考案の第一実施例のアルミ製カーラーの立体外観図である。
【図２】本考案の第一実施例のアルミ製カーラーの立体分解図である。
【図３】本考案の第一実施例のアルミ製カーラーの断面図である。
【図４】本考案のアルミ製カーラーのスプリングパーツによって固定部分にはめ込まれて使用される状態を示した図である。
【図５】本考案の第二実施例のアルミ製カーラーの断面図である。
【符号の説明】
【００１３】
１  中が空洞のアルミ管
１１  くぼみ槽
２  先端部分
２１  固定部分
２２  くぼみ部分
２’  先端部分
２１’  固定部分
２２’  くぼみ部分
３  中が空洞のアルミ管
４  先端部分
４１  固定部分
４２  くぼみ部分
４’  先端部分
４１’  固定部分
４２’  くぼみ部分
５  スプリングパーツ
【図１】
0003120456.tif 000003
【図２】
0003120456.tif 000004
【図３】
0003120456.tif 000005
【図４】
0003120456.tif 000006
【図５】
0003120456.tif 000007
(57)【要約】      （修正有）【課題】足裏に可動ツボ押し作用を与えるための機構を台板に内蔵し、単純な機構で安全に快適に使用できるツボ押しシーソー。【解決手段】台板１に弾性部材３を配置するための弾性部材ほぞ４を設け、体重移動による荷重変化により、弾性部材３が圧縮変形、復元を繰り返し、相対的に押圧ピン２が上下運動する。【選択図】図１
0003120447.tif 000002
【実用新案登録請求の範囲】
【請求項１】
シーソー形状のシーソー台板（１）に複数個の貫通孔（５）を設け、前記貫通孔（５）に同数の前記貫通孔（５）の内径より小さい内径を有する押圧ピン（２）を挿入し、前記押圧ピン（２）下端部分のピンストッパー（２ａ）は前記貫通孔（５）の内径より大きい径を有し、前記貫通孔（５）下部に弾性部材ほぞ（４）を設け、前記弾性部材ほぞ（４）には弾性部材（３）を設け、弾性部材（３）には、押圧ピン（２）が挿入され、体重移動により、前記弾性部材（３）が圧縮され、相対的に、押圧ピン（２）がシーソー台板（１）から突出する構造としたことを特徴とする足裏つぼ押しシーソー。
【考案の詳細な説明】
【技術分野】
【０００１】  本考案は体重移動により、押圧ピンを突出させ、ツボを押す健康用シーソーに関する。
【背景技術】
【０００２】  シーソーを利用して押圧ピンを上下させて、ツボを刺激させる健康具は従来提案されているものがある。
【特許文献１】  登録第３０８３４８０号
【０００３】  特許文献１のものは、シーソー軸受け台を設け、体重移動によりシーソー台板と軸受け台の隙間の距離を変化させることによって、押圧ピンを上下させるようになっている。
【考案の開示】
【考案が解決しようとする課題】
【０００４】  シーソーで押圧ピンを上下させる場合、シーソー台板と軸受台を利用した機構では、シーソーと軸受け台の間に子供等、指が挟まれる危険性、或いは隙間にごみがたまり、押圧ピンの円滑な上下運動を阻害する問題があった。
【課題を解決するための手段】
【０００５】  本考案は、従来のシーソー台板と軸受け台の距離を変化させ、押圧ピン下端が露出した状態で、上下運動させる機構を、押圧ピンの下端の径を大きくし、シーソー台板に設けたほぞに押圧ピン下端部分を収納可能にし、シーソー台板内部に可動部分を密閉したことによって、安全に快適に使用できるようにしたものである。
【考案の効果】
【０００６】  本考案によれば、シーソー台板に設けた弾性部材ほぞに押圧ピンの上下運動による移動距離を収納しシーソー台板内部を完全に密閉したことにより、安全性及びごみの堆積による押圧ピンの上下運動の阻害要因を排除し、安全に快適に単純な機構で使用できる著しい効果がある。
【考案を実施するための最良の形態】
【０００７】  本考案は、体重移動により、荷重の増加に伴ない弾性部材（３）が圧縮され、相対的に押圧ピン（２）がシーソー台板（１）から突出し、体重が左側に掛かっている場合は右側の荷重が減少するので右側では弾性部材（３）が復元され押圧ピン（２）も同時に復元され再度右側に体重負荷をかけると右側の方に押圧が加わる。この動作を繰り返すことで左右の足裏の刺激を繰り返すものである。【０００８】  図１において、シーソー台板（１）と複数個の貫通孔（５）と同数の押圧ピン（２）が配置される。【０００９】  シーソー台板（１）における押圧ピン（２）の配置箇所はシーソー運動による落差の反映が顕著な位置が望ましく、両端付近領域に複数個取り付ければ押圧ピンの上下運動を円滑に引き出すことが出来る。【００１０】  貫通孔（５）の内径は押圧ピン（２）の内径より大きく、体重移動により相対的に押圧ピンが上下運動する動きを抵抗なく円滑におこなうことが出来る。【００１１】  図２において弾性部材（３）と弾性部材（３）を配置するための、弾性部材ほぞ（４）を設け、押圧ピン（２）下部にはピン抜け防止のピンストッパー（２ａ）が設けられ、押圧ピン（２）と弾性部材（３）を連結させるための底材（６）が取り付けられる。【００１２】  弾性部材（３）は圧縮復元が円滑に行われる素材が望ましく、たとえば、スポンジなどでもよい。【００１３】  この場合、必ずしも弾性圧縮素材を使用する必要はなく、弾性部材ほぞ（４）を中空のままにし、伸縮自在な底材（６）をピンストッパー（２ａ）底部と連結させることによって上下運動の復元をしてもよい。【００１４】  押圧ピン（２）のピンストッパー（２ａ）形状は円錐形状が望ましいが、たとえばプラスチック素材など薄型でも強度が確保される場合、必ずしも円錐形状でなくてもよい。【００１５】  弾性部材ほぞ（４）の深さはシーソー台板（１）の傾き落差による距離よりも長く構成され、押圧ピン（２）がシーソー台板（１）から円滑に突出できるようになっている。
【図面の簡単な説明】
【００１０】
【図１】  本考案の平面図である
【図２】  側断面図である
【図３】  作動図である
【符号の説明】
【００１１】    １  シーソー台板
２  押圧ピン
３  弾性部材
４  圧縮板ほぞ
５  貫通孔
６  底材
２ａ  ピンストッパー
【図１】
0003120447.tif 000003
【図２】
0003120447.tif 000004
【図３】
0003120447.tif 000005